(57)【要約】【課題】  要介護者の負担を軽減しつつ装着を容易にすることができる介護用スリングシートを提供する。【解決手段】  要介護者の背中を支持する上部本体１２、および上部本体１２の左右両側に設けられた吊り上げ用の係合部１２ａを有する上部支持体５と、要介護者の大腿部を支持する帯状の下部本体１１、および下部本体１１の両端部に設けられた吊り上げ用の係合部１１ａを有する下部支持体２とを備え、上部支持体５は、要介護者の吊り上げ状態で、上部本体１２から下部本体１１に向けて互いに間隔をあけて延びる一対の大腿部サポート部６，６を備えており、各大腿部サポート部６は、先端部が下部本体１１を超えて延在し、要介護者２１の大腿部と下部本体１１との間に介在される介護用スリングシート。【選択図】  図２
2014147660.tif 000002
【特許請求の範囲】
【請求項１】
要介護者の背中を支持する上部本体、および前記上部本体の左右両側に設けられた吊り上げ用の係合部を有する上部支持体と、
要介護者の大腿部を支持する帯状の下部本体、および前記下部本体の両端部に設けられた吊り上げ用の係合部を有する下部支持体とを備え、
前記上部支持体は、要介護者の吊り上げ状態で、前記上部本体から前記下部本体に向けて互いに間隔をあけて延びる一対の大腿部サポート部を備えており、
前記各大腿部サポート部は、先端部が前記下部本体を超えて延在し、要介護者の大腿部と前記下部本体との間に介在される介護用スリングシート。
【請求項２】
前記下部支持体は、要介護者の大腿部が載置された状態で大腿部の外側にはみ出すように前記下部本体に設けられた保護部材を備える請求項１に記載の介護用スリングシート。
【請求項３】
一対の前記大腿部サポート部は、両者の間に間隔をあけて互いに着脱可能に結合する装着部を備える請求項１または２に記載の介護用スリングシート。
【請求項４】
前記下部支持体は、要介護者の大腿部を個別に支持するように、前記下部本体を複数備える請求項１から３のいずれかに記載の介護用スリングシート。
【請求項５】
前記上部支持体は、要介護者の頭部が当接する枕部を備える背中支持板が、着脱可能に装着される請求項１から４のいずれかに記載の介護用スリングシート。
【請求項６】
前記下部支持体は、前記上部支持体が有する前記係合部に挿通されている請求項１から５のいずれかに記載の介護用スリングシート。
【発明の詳細な説明】
【技術分野】
【０００１】
本発明は、介護用スリングシートに関する。
【背景技術】
【０００２】
介護用スリングシートは、自力歩行の困難な身体障害者や高齢者などの要介護者を、ベッドや車いす、便器、浴槽などに乗り移らせる際に、従来から使用されている。介護用スリングシートは、要介護者の身体に装着され、スリングの吊り紐を介護リフトのハンガーフックに掛けることにより、身体を吊り上げることができる。
【０００３】
従来の介護用スリングシートとして、２種類のタイプがある。１つ目は、図１（ａ）に示すように、要介護者２１の全身を覆うようにリフト２２に吊り下げ支持される脚背中一体式スリングシート３０であり、例えば特許文献１に開示されている。２つ目は、図１（ｂ）に示すように、要介護者２１の脚と背中をそれぞれ支持する部分が分離された脚背中分離式スリングシート３１であり、例えば特許文献２に開示されている。
【先行技術文献】
【特許文献】
【０００４】
【特許文献１】特開２００８−３６１００号公報
【特許文献２】特開２０００−１４００２３号公報
【発明の概要】
【発明が解決しようとする課題】
【０００５】
介護用リフトは、トイレ、車椅子、ベッド等の生活の様々な場面で使用される一方、図１（ａ）に示すタイプ（例えば特許文献１の構成）の介護用スリングシートは、要介護者の全身をシートで包み込むため、トイレでの排泄が困難になるという問題があった。また、要介護者の大腿部の全体がシートで覆われて圧迫されるため、身体への負担は少なくなく、更には要介護者へのシートの装着が困難であるという問題も有していた。
【０００６】
これに対し、図１（ｂ）に示すタイプ（例えば特許文献２の構成）の介護用スリングシートは、上半身用シートと下半身用シートとに分離されているため、要介護者の圧迫感が緩和されるものの、上半身用シートと下半身用シートとの間隔が拡がり易いため、この間への要介護者の臀部の落ち込みが生じ易く、やはり要介護者の負担が大きいものとなっていた。また、これを解消するため上半身用シートと下半身用シートをベルト等で結合した場合には、要介護者への装着が困難になるという問題があった。
【０００７】
そこで、本発明は、要介護者の負担を軽減しつつ装着を容易にすることができる介護用スリングシートの提供を目的とする。
【課題を解決するための手段】
【０００８】
本発明の前記目的は、要介護者の背中を支持する上部本体、および前記上部本体の左右両側に設けられた吊り上げ用の係合部を有する上部支持体と、要介護者の大腿部を支持する帯状の下部本体、および前記下部本体の両端部に設けられた吊り上げ用の係合部を有する下部支持体とを備え、前記上部支持体は、要介護者の吊り上げ状態で、前記上部本体から前記下部本体に向けて互いに間隔をあけて延びる一対の大腿部サポート部を備えており、前記各大腿部サポート部は、先端部が前記下部本体を超えて延在し、要介護者の大腿部と前記下部本体との間に介在される介護用スリングシートにより達成される。
【０００９】
この介護用スリングシートにおいて、前記下部支持体は、要介護者の大腿部が載置された状態で大腿部の外側にはみ出すように前記下部本体に設けられた保護部材を備えることができる。
【００１０】
また、一対の前記大腿部サポート部は、両者の間に間隔をあけて互いに着脱可能に結合する装着部を備えることができる。
【００１１】
また、前記下部支持体は、要介護者の大腿部を個別に支持するように、前記下部本体を複数備えることができる。
【００１２】
また、前記上部支持体は、要介護者の頭部が当接する枕部を備える背中支持板が、着脱可能に装着される構成にすることができる。
【００１３】
前記下部支持体は、前記上部支持体が有する前記係合部に挿通された構成であってもよい。
【発明の効果】
【００１４】
本発明によれば、要介護者の負担を軽減しつつ装着を容易にすることができる介護用スリングシートを提供することができる。
【図面の簡単な説明】
【００１５】
【図１】従来の介護用スリングシートの側面図であり、（ａ）は脚背中一体式の一例、（ｂ）は脚背中分離式の一例をそれぞれ示している。
【図２】本発明の第１の実施形態に係る介護用スリングシートの（ａ）斜視図、（ｂ）側面図、および（ｃ）背面図である。
【図３】本発明の第２の実施形態に係る介護用スリングシートの（ａ）斜視図、（ｂ）要部斜視図、および（ｃ）側面図である。
【図４】本発明の第３の実施形態に係る介護用スリングシートの（ａ）斜視図、（ｂ）側面図、および（ｃ）正面図である。
【図５】本発明の第４の実施形態に係る介護用スリングシートの（ａ）斜視図、（ｂ）要部斜視図、および（ｃ）側面図である。
【図６】本発明の第５の実施形態に係る介護用スリングシートの（ａ）斜視図、および（ｂ）側面図である。
【図７】本発明の第６の実施形態に係る介護用スリングシートの（ａ）斜視図、および（ｂ）側面図である。
【発明を実施するための形態】
【００１６】
以下、本発明の実施の形態について、添付図面を参照して説明する。図２は、本発明の第１の実施形態に係る介護用スリングシートの（ａ）斜視図、（ｂ）側面図、および（ｃ）背面図である。図２（ａ）および（ｂ）に示すように、介護用スリングシート１は、要介護者２１の背中を支持する上部支持体５と、要介護者２１の大腿部を支持する下部支持体２とを備えている。上部支持体５および下部支持体２は、柔軟性があり引張強度が高いものが好ましく、例えば、綿や樹脂等により形成することができる。
【００１７】
上部支持体５は、要介護者２１の背中全体を包み込む形状および大きさを有するシート状の上部本体１２と、上部本体１２の左右両側から延出する帯状体の先端部に設けられた環状の係合部１２ａ，１２ａとを備えている。上部本体１２の下部には、互いに間隔をあけて略平行に延びる帯状の大腿部サポート部６，６が設けられている。大腿部サポート部６，６は、後述するように、先端部が下部本体１１を超えて延在するのに十分な長さを有することが好ましい。
【００１８】
下部支持体２は、要介護者２１の大腿部に下方から当接する帯状の下部本体１１と、下部本体１１の両端に設けられた環状の係合部１１ａ，１１ａとを備えている。下部本体１１における要介護者２１の大腿部と当接する部分の下方側には、図２（ｂ）に示すように補強板１１ｂを適宜設けてもよい。
【００１９】
上記の構成を備える介護用スリングシート１は、図２（ｃ）に背面図で示すように、要介護者２１が椅子２３（あるいはベッド等）に座った状態で、上部支持体５の上部本体１２を要介護者の両腕および背中に宛がうと共に、要介護者２１の大腿部を横断するように下部支持体を大腿部の下方に配置する。ついで、要介護者の臀部の片側を軽く浮かせた状態にし、大腿部の一方と下部支持体との隙間に上部支持体５の大腿部サポート部６を滑り込ませる。同様にして、他方の大腿部と椅子２３との隙間にも大腿部サポート部６を介在させる。これにより、各大腿部サポート部６は、図２（ａ）および（ｂ）に示すように、先端部が下部本体１１を超えて延在し、大腿部と下部本体１１との間に介在される。そして、下部本体１１および上部本体１２のそれぞれの係合部１１ａ，１２ａを、介護リフト２２のハンガーフック２２ａに係合させることにより、要介護者２１の背中および大腿部を下部本体１１および上部本体１２で吊り上げて、要介護者２１を移動することができる。
【００２０】
本実施形態の介護用スリングシート１は、上部本体１２から延びる一対の大腿部サポート部６，６を、要介護者２１の太腿部と下部本体１１との間に容易に介在させることができる。また、要介護者２１の自重で大腿部サポート部６と下部本体１１とが密着し、両者が摩擦等により固定されるので、要介護者２１の吊り上げ状態で、下部本体１１と上部本体１２との間隔が拡がるおそれがない。したがって、全身に力が入り難い要介護者２１であっても、下部本体１１と上部本体１２との間に臀部が落ち込むことなく吊り上げ状態を良好に維持することができ、要介護者２１の負担を軽減することができる。更に、一対の大腿部サポート部６，６の間には間隙が維持されるため、トイレ等での要介護者２１の排泄処理を容易に行うことができる。
【００２１】
下部本体１１に対する大腿部サポート部６の固定は、本実施形態では表面同士に作用する摩擦力を利用しているが、面ファスナー、シャックル、カラビナ、マグネットシートなどの固定具を用いて行うこともできる。
【００２２】
次に、本発明の介護用スリングシートについて、第２の実施形態を説明する。図３は、本発明の第２の実施形態に係る介護用スリングシートの（ａ）斜視図、（ｂ）要部斜視図、および（ｃ）側面図である。図３に示す介護用スリングシート１は、図２に示す第１の実施形態に係る介護用スリングシート１において、下部支持体２に保護部材２ａを設けると共に、一対の大腿部サポート部６，６の先端部に着脱可能な装着部１３，１３を設けたものであり、それ以外の構成については第１の実施形態と同様である。したがって、図２と同様の構成部分については同一の符号を付して、詳細な説明を省略する（以下の図面においても同様）。
【００２３】
図３（ａ）において、保護部材２ａは、下部支持体２の長手方向に沿って延びる平板状の部材であり、要介護者の両大腿部を載置して吊り上げることができるように、下部本体１１の途中に介在されている。保護部材２ａは、下部本体１１よりも剛性が高いことが好ましく、例えば、鉄、ステンレス、アルミニウム、木材、プラスチック等により形成することができる。保護部材２ａの長さは、要介護者の大腿部を載置したときに、両大腿部の左右両側にはみ出す程度であることが好ましい。保護部材２ａには、一対の大腿部サポート部６，６がそれぞれ挿通されるベルト部１４，１４が設けられている。また、装着部１３，１３は、例えばリリース式バックルから構成することができ、図３（ａ）に示す結合状態においては、一対の大腿部サポート部６，６の間に一定の間隔が保持される。そして、装着部１３，１３を、図３（ｂ）の矢示方向に相対的に移動させることで、結合状態を解除することができる。なお、図３（ｂ）は、図３（ａ）のＡ部詳細を示している。
【００２４】
第２の実施形態に係る介護用スリングシート１によれば、装着部１３，１３同士を結合することにより一対の大腿部サポート部６，６の所定の間隔を確実に保持することができるので、図３（ｃ）に示す要介護者２１の吊り上げ状態において、一対の大腿部サポート部６，６の間への臀部の落ち込みをより確実に防止して、要介護者２１の負担を軽減することができる。また、一対の大腿部サポート部６，６をベルト部１４，１４に挿通することで、保護部材２ａに対する各大腿部サポート部６の位置ずれを抑制することができ、これによっても要介護者２１の負担軽減を図ることができる。更に、保護部材２ａは、載置された大腿部の外側にはみ出すことにより、要介護者２１の吊り上げ状態で下部本体１１が保護部材２ａの左右両縁に当接するため、要介護者２１の大腿部に下部本体１１がくい込んで皮膚を痛めるおそれがなく、要介護者２１の負担を軽減することができる。保護部材２ａは、本実施形態では両大腿部を載置可能な長さとしているが、大腿部を個別に載置できるように左右に分割して設けることも可能である。
【００２５】
次に、本発明の介護用スリングシートについて、第３の実施形態を説明する。図４は、本発明の第３の実施形態に係る介護用スリングシートの（ａ）斜視図、（ｂ）側面図、および（ｃ）正面図である。図４に示す介護用スリングシート１は、図２に示す第１の実施形態に係る介護用スリングシート１において、各大腿部サポート部６が補強部材１５を備えると共に、複数の下部本体１１，１１が要介護者の大腿部を個別に支持するように構成したものであり、それ以外の構成については第１の実施形態と同様である。補強部材１５は、大腿部サポート部６よりも剛性が高いものが好ましい。
【００２６】
第３の実施形態に係る介護用スリングシート１によれば、要介護者の吊り上げ状態において、補強部材１５が大腿部の下部への下部本体１１のくい込みを防止して、要介護者２１の負担軽減を図ることができる。補強部材１５は、大腿部サポート部６に内蔵させることが可能であり、あるいは、大腿部サポート部６の上面側または下面側に設けることも可能である。
【００２７】
また、本実施形態のように下部本体１１，１１を複数設けて大腿部を個別に支持する構成にすることで、図４（ｃ）に正面図で示すように、それぞれの下部本体１１，１１を互いに交差させて、介護リフト２２のハンガーフック２２ａに係合させることができる。これにより、大腿部への下部本体１１のくい込みを抑制することができ、要介護者２１の負担を軽減することができる。
【００２８】
次に、本発明の介護用スリングシートについて、第４の実施形態を説明する。図５は、本発明の第４の実施形態に係る介護用スリングシートの（ａ）斜視図、（ｂ）要部斜視図、および（ｃ）側面図である。図５に示す介護用スリングシート１は、図２に示す第１の実施形態に係る介護用スリングシート１において、上部支持体５が背中支持部材９を備えるものであり、それ以外の構成については第１の実施形態と同様である。
【００２９】
図５（ａ）および（ｂ）に示すように、背中支持板９は、要介護者の背中全体を支持可能な大きさの板本体７に枕部８を備えて構成されており、上部本体１２の中央に形成された差込部１６に挿入することにより、上部本体１２に着脱可能に装着される。背中支持板９は、上部本体１２よりも剛性が高いことが好ましく、例えば、鉄、ステンレス、アルミニウム、木材、プラスチック等により形成することができる。
【００３０】
第４の実施形態に係る介護用スリングシート１によれば、図５（ｃ）に示すように要介護者２１の吊り上げ状態で、上部本体１２に支持された背中支持板９が要介護者２１の自重により要介護者２１と密着し、要介護者２１の頭部が枕部８に当接して固定される。この構成は、上半身に力が入り難い要介護者に特に有効であり、要介護者２１をベッド等から起こす場合に、背中支持板９が要介護者２１の上半身を容易に支持することができるので、要介護者２１の負担を軽減することができる。
【００３１】
次に、本発明の介護用スリングシートについて、第５の実施形態を説明する。図６は、本発明の第５の実施形態に係る介護用スリングシートの（ａ）斜視図、および（ｂ）側面図である。図６に示す介護用スリングシート１は、図２に示す第１の実施形態に係る介護用スリングシート１において、上部支持体５を構成する上部本体１２が上下の分割体１２１，１２２から構成され、上部支持体５の係合部１２ａに下部支持体２が挿通されたものであり、それ以外の構成については第１の実施形態と同様である。
【００３２】
第５の実施形態に係る介護用スリングシート１によれば、図６（ｂ）に示すように、介護リフト２２のハンガーフック２２ａへの係合を、下部支持体２の係合部１１ａのみとすることができるので、要介護者２１の吊り上げ作業を容易に行うことができる。上部本体１２は、必ずしも本実施形態のように分割する必要はなく、例えば、背中全体を覆うシート体の左右両側にそれぞれ複数の係合部を備える構成であってもよい。
【００３３】
次に、本発明の介護用スリングシートについて、第６の実施形態を説明する。図７は、本発明の第６の実施形態に係る介護用スリングシートの（ａ）斜視図、および（ｂ）側面図である。図７に示す介護用スリングシート１は、図６に示す第５の実施形態に係る介護用スリングシート１において、上部本体１２の上部に補助ベルト１９，１９を備えると共に、下部本体１１に補助ベルト１９，１９が接続される接続部１０，１０を備えるものであり、それ以外の構成については第５の実施形態と同様である。
【００３４】
補助ベルト１９，１９は、先端部に環状の係合部１９ａ，１９ａを備えており、係合部１９ａ，１９ａを接続部１０，１０に固定することができる。係合部１９ａと接続部１０との接続は、例えばシャックルやカラビナ等の締結具を用いて行うことができる。
【００３５】
第６の実施形態に係る介護用スリングシート１によれば、図７（ｂ）に示すように、補助ベルト１９を、介護リフト２２のハンガーフック２２ａを介して接続部１０に接続することで、要介護者２１の上半身をより確実に支持することができ、上半身に力が入り難い要介護者２１であっても、上半身を容易に起こして吊り上げることができる。
【符号の説明】
【００３６】
１  介護用スリングシート
２  下部支持体
２ａ  保護部材
５  上部支持体
６  大腿部サポート部
８  枕部
１１  下部本体
１１ａ  係合部
１２  上部本体
１２ａ  係合部
１３  装着部
２１  要介護者
【図１】
2014147660.tif 000003
【図２】
2014147660.tif 000004
【図３】
2014147660.tif 000005
【図４】
2014147660.tif 000006
【図５】
2014147660.tif 000007
【図６】
2014147660.tif 000008
【図７】
2014147660.tif 000009